(57)【要約】【課題】全周魚眼レンズの種類を判別し、判別した種類に対応した半径の情報を用いて測光や光源推定に有効な撮像素子の範囲を算出し、有効範囲の信号を使用することで最適な測光や光源推定をすることが可能な撮像装置を提供することができる。【解決手段】交換レンズを装着する撮像装置において、前記交換レンズを透過した光を受けて画像信号に変換する撮像素子と、前記交換レンズから前記交換レンズに関するレンズ情報を読み出す読み出し手段と、前記レンズ情報を用いて前記撮像素子の撮影状態参照範囲を算出する算出手段と、前記算出手段の算出結果である前記撮影状態参照範囲から前記画像信号を読み出す画像信号読み出し手段と、前記画像信号読み出し手段の読み出した画像信号をもとに撮影状態を判定する撮影状態判定手段と、を備えることを特徴とする撮像装置。【選択図】図１
2018004663.tif 000002
【特許請求の範囲】
【請求項１】
交換レンズを装着する撮像装置において、
前記交換レンズを透過した光を受けて画像信号に変換する撮像素子と、
前記交換レンズから前記交換レンズに関するレンズ情報を読み出す読み出し手段と、
前記レンズ情報を用いて前記撮像素子の撮影状態参照範囲を算出する算出手段と、
前記算出手段の算出結果である前記撮影状態参照範囲から前記画像信号を読み出す画像信号読み出し手段と、
前記画像信号読み出し手段の読み出した画像信号をもとに撮影状態を判定する撮影状態判定手段と、
を備えることを特徴とする撮像装置。
【請求項２】
交換レンズを装着する撮像装置において、
前記交換レンズを透過した光を受けて画像信号に変換する撮像素子と、
前記交換レンズから前記交換レンズに関するレンズ情報を読み出す読み出し手段と、
前記交換レンズに関するレンズ情報を基に前記撮像装置に装着された前記交換レンズが全周魚眼レンズか否かを判別する判別手段と、
前記撮像装置に装着された前記交換レンズを前記判別手段が全周魚眼レンズと判別した場合、
前記レンズ情報を用いて前記撮像素子の撮影状態参照範囲を算出する算出手段と、
前記算出手段の算出結果である前記撮影状態参照範囲から前記画像信号を読み出す画像信号読み出し手段と、
前記画像信号読み出し手段の読み出した画像信号をもとに撮影状態を判定する撮影状態判定手段と、
を備えることを特徴とする撮像装置。
【請求項３】
交換レンズを装着する撮像装置において、
前記交換レンズを透過した光を受けて画像信号に変換する撮像素子と、
前記交換レンズに関するレンズ情報を記憶するレンズ情報記憶部と、
前記レンズ情報記憶部に記憶されているレンズ情報から前記撮像装置に装着された前記交換レンズに対応するレンズ情報を選択するレンズ情報選択部と、
前記レンズ情報選択部の選択したレンズ情報を用いて前記撮像素子の撮影状態参照範囲を算出する算出手段と、
前記算出手段の算出結果である前記撮影状態参照範囲から前記画像信号を読み出す画像信号読み出し手段と、
前記画像信号読み出し手段の読み出し画像信号をもとに撮影状態を判断する撮影状態判定手段と、
を備えることを特徴とする撮像装置。
【請求項４】
前記算出手段は、前記レンズ情報のうち、
前記撮像素子のサイズの情報と基準撮像素子のサイズを基準とした像高の割合の値と
を用いて演算することを特徴とする請求項１乃至請求項３のいずれかに記載の撮像装置。
【発明の詳細な説明】
【技術分野】
【０００１】
本発明は、全周魚眼レンズが装着された際にも正確な測光と光源推定を行う撮像装置に関する。
【背景技術】
【０００２】
レンズ交換が可能な撮像装置において、様々な焦点距離の交換レンズを撮像装置に装着することが可能である。そのため、撮像装置は、どのような交換レンズが装着されても、正確な測光と光源推定することが望まれる。
【０００３】
撮像装置は、交換レンズを透過した光がイメージセンサにて画像信号に変換された情報をもとにして測光や光源推定を行うのが一般的である。
【０００４】
しかし、全周魚眼レンズを撮像装置に装着して撮影をした場合、全周魚眼レンズを透過した光のイメージサークルはイメージセンサの長辺方向及びイメージセンサの短辺方向の周辺には、被写体光が届かないことがある。このような、全周魚眼レンズを装着して撮影した場合、被写体光の届いていないイメージセンサの長辺方向及びイメージセンサの短辺方向の周辺は、周辺領域の測光や光源推定には役立たない。具体的には、イメージセンサの被写体光が届いていない領域の画像信号を測光に用いることで、画像全体が暗いと判断された結果、最終的な画像が露出オーバーとなってしまう問題がある。そこで、特許文献１に記載されているように、画像中央領域と周辺領域を独立して測光出来る測光装置を用いて、交換レンズとして全周魚眼レンズが装着されたか否かを判別する判別手段を設け、判別手段にて全周魚眼レンズの装着を判別した際には、周辺領域の輝度情報を中央領域の輝度情報に置換える補正を行う、もしくは中央領域の輝度情報のみにて測光値を求める補正を行うという測光装置が提案されている。
【０００５】
また、特許文献２は、撮像装置に装着した交換レンズ毎にイメージセンサから読み出す情報を持つことで、魚眼レンズを装着して撮影した場合、撮像装置に保存されている読み出し領域の情報に基づき、イメージセンサからイメージサークルの範囲外から画像信号を読み出さないとすることで、測光や光源推定に影響を及ぼさないという撮像装置が提案されている。
【先行技術文献】
【特許文献】
【０００６】
【特許文献１】特開昭６３−１５４９２１号公報
【特許文献２】特開２００９−７７１２９号公報
【発明の概要】
【発明が解決しようとする課題】
【０００７】
しかしながら、特許文献１に記載の測光装置は、領域のパターンが固定されており、全周魚眼のケラレない範囲が異なる場合、最適な測光・光源推定を行えないという課題を有する。
【０００８】
次に、特許文献２に記載の撮像装置は、撮像装置内に複数のケラレない範囲の情報を記憶し、外部からの命令により記憶されているケラレない範囲の情報を適宜選択し、画像信号の読み出し範囲の変更を行っている。従って、撮像装置の記憶する複数のケラレない範囲の情報とは異なる範囲の情報を持つ交換レンズを装着する場合、読み出し範囲が適さない故に、最適な測光・光源推定が行えないという課題を有する。また、新たな範囲の情報を持つ交換レンズに対応する場合、撮像装置に追加する必要があるため、その度に撮像装置のファームウェアのアップデートが必要となるという課題を有する。
【０００９】
また、様々なサイズのセンサに対応するために、各ピクセル毎にデータを読み出すか否かの読み出し情報を撮像装置に複数持たせようとすると、読み出し情報のデータ量が大きくなるという課題を有する。
【００１０】
本発明はこのような状況に鑑みてなされたものであり、全周魚眼レンズの種類を判別し、判別した種類に対応した半径の情報を用いて測光や光源推定に有効な撮像素子の範囲を算出することで最適な測光や光源推定を行うことを目的とする。
【課題を解決するための手段】
【００１１】
上記課題を解決するための手段である第１の発明は、撮像装置であって、交換レンズを装着する撮像装置において、前記交換レンズを透過した光を受けて画像信号に変換する撮像素子と、前記交換レンズから前記交換レンズに関するレンズ情報を読み出す読み出し手段と、前記レンズ情報を用いて前記撮像素子の撮影状態参照範囲を算出する算出手段と、前記算出手段の算出結果である前記撮影状態参照範囲から前記画像信号を読み出す画像信号読み出し手段と、前記画像信号読み出し手段の読み出した画像信号をもとに撮影状態を判定する撮影状態判定手段と、を備えることを特徴とする撮像装置。
【００１２】
また、上述の課題を解決するための手段である第２の発明は、交換レンズを装着する撮像装置において、前記交換レンズを透過した光を受けて画像信号に変換する撮像素子と、前記交換レンズから前記交換レンズに関するレンズ情報を読み出す読み出し手段と、前記交換レンズに関するレンズ情報を基に前記撮像装置に装着された前記交換レンズが全周魚眼レンズか否かを判別する判別手段と、前記撮像装置に装着された前記交換レンズを前記判別手段が全周魚眼レンズと判別した場合、前記レンズ情報を用いて前記撮像素子の撮影状態参照範囲を算出する算出手段と、前記算出手段の算出結果である前記撮影状態参照範囲から前記画像信号を読み出す画像信号読み出し手段と、前記画像信号読み出し手段の読み出した画像信号をもとに撮影状態を判定する撮影状態判定手段と、を備えることを特徴とする撮像装置。
【００１３】
また、上述の課題を解決するための手段である第３の発明は、交換レンズを装着する撮像装置において、前記交換レンズを透過した光を受けて画像信号に変換する撮像素子と、前記交換レンズに関するレンズ情報を記憶するレンズ情報記憶部と、前記レンズ情報記憶部に記憶されているレンズ情報から前記撮像装置に装着された前記交換レンズに対応するレンズ情報を選択するレンズ情報選択部と、前記レンズ情報選択部の選択したレンズ情報を用いて前記撮像素子の撮影状態参照範囲を算出する算出手段と、前記算出手段の算出結果である前記撮影状態参照範囲から前記画像信号を読み出す画像信号読み出し手段と、前記画像信号読み出し手段の読み出し画像信号をもとに撮影状態を判断する撮影状態判定手段と、を備えることを特徴とする撮像装置。
【００１４】
また、上述の課題を解決するための手段である第４の発明は、第１の発明乃至第３の発明のいずれかである撮像装置であって、前記算出手段は、前記レンズ情報のうち、前記撮像素子のサイズの情報と基準撮像素子のサイズを基準とした像高の割合の値とを用いて演算することを特徴とする撮像装置。
【発明の効果】
【００１５】
本発明によれば、全周魚眼レンズの種類を判別し、判別した種類に対応した半径の情報を用いて測光や光源推定に有効な撮像素子の範囲を算出し、有効範囲の信号を使用することで最適な測光や光源推定をすることが可能な撮像装置を提供することができる。
【図面の簡単な説明】
【００１６】
【図１】本発明の撮像装置の構成を示す構成図
【図２】本発明実施例１のフローチャート
【図３】画角と計測領域の関係図
【図４】本発明実施例２のフローチャート
【発明を実施するための形態】
【００１７】
以下、添付の図面に従って、本発明を実施するための最良の形態について説明する。なお、この実施の形態により本発明が限定されるものではない。
【００１８】
図１は、本発明の撮像装置１００の主要構成を示す図である
【００１９】
撮像装置１００は、図１に示すように交換レンズ２００及びカメラ本体３００から構成されている。
【００２０】
交換レンズ２００は、概ね円筒形状を有するズームレンズや単焦点レンズであり、内部に結像光学系２１０を備えている。
【００２１】
交換レンズ２００は、後端部に不図示のレンズ側マウントを備えている。
【００２２】
カメラ本体３００は、前面に不図示のカメラ側マウントを備えている。交換レンズ２００とカメラ本体３００は、双方のマウントが結合することで着脱可能に固定される。
【００２３】
結像光学系２１０の光軸上のカメラ本体３００内部は、被写体光速を光電変換するＣＣＤ、ＣＭＯＳ等からなるイメージセンサ３１０を備えている。
【００２４】
カメラ本体３００の外観に注目する。カメラ本体３００は背面に不図示の表示装置（ＬＣＤ、有機ＥＬ等）や、各種操作部を備えている。撮影者は、各種操作部を操作することで、撮影画像を表示装置に表示して確認したり、露出補正やホワイトバランス等の設定を変更したりすることが可能である。
【００２５】
さらに、カメラ本体３００は側面に、不図示の記録メディア用スロットを備えている。カメラ本体３００内のイメージセンサ３１０で得た画像データが、このスロットに装てんされた記録メディアに記録される
【００２６】
カメラ本体３００は外観上面に、不図示のレリーズボタンやモード設定ダイヤルなどを備えている。
【００２７】
レリーズボタンは、撮影者が半押しすることによりオンする第１スイッチと、撮影者が全押しすることによってオンする第２スイッチとからなる。撮影装置１００は、第１スイッチオンの状態で焦点検出、主要被写体への自動合焦、被写界輝度値の測光などの撮影準備操作を行う。続けて第２スイッチをオンすると撮影準備動作により設定された撮影条件の下で、イメージセンサ３１０を介して被写体の画像データを取得する。
【００２８】
撮影モードの変更は、不図示のモード設定ダイヤルで行う。モード設定ダイヤルは回動可能なダイヤル式のスイッチである。ダイヤル上面は、撮影者が認識可能な露出モードのアイコンが複数印刷されている。撮影者は、意図した撮影モードのアイコンが指標の位置に来るようにモード設定ダイヤルを回動させることにより、撮像装置１００の撮影モードを任意に設定することが可能である。
【００２９】
撮影モードの種類は、例えば、シャッタスピード、絞り値、ＩＳＯ感度、ホワイトバランス等の全てのパラメータをカメラ側で自動的に決定するオ−トモード（ＡＵＴＯ）、シャッタスピード及び絞り値のパラメータをカメラ側で自動的に決定するプログラムモード（Ｐ）、シャッタスピード及び絞り値の設定を撮影者が好みに応じて手動で行うマニュアルモード（Ｍ）がある。その他の撮影モードの種類は、撮影者が任意の絞り値を設定し、それに応じて最適なシャッタスピードをカメラ側が自動で決定する絞り優先モード（Ａ）、撮影者が任意のシャッタスピードを設定し、それに応じて最適な絞り値をカメラ側が自動で決定するシャッタスピード優先モード（Ｓ）等がある。また、これらの静止画を撮影するモード以外に、動画を撮影する動画撮影モードを有する場合もある。
【００３０】
撮影装置１００の内部に着目する。カメラ本体３００の内部は、上述したイメージセンサ３１０の他に、イメージセンサ３１０の露出時間、すなわちシャッタスピードを調整するために不図示のフォーカルプレーンシャッタを駆動するシャッタ駆動ユニット３４０、等を備えている。これらのイメージセンサ３１０、シャッタ駆動ユニット３４０は、カメラ本体３００内にさらに備えたカメラＣＰＵ３５０に接続されており、このカメラＣＰＵ３５０によって適切に動作するように制御される。
【００３１】
交換レンズ２００の内部は、上述した結像光学系２１０の他に、結像光学系２１０内のフォーカス調整用レンズ２１１を駆動して合焦動作を行うためのレンズ駆動ユニット２２０と、結像光学系２１０の開口量を調整するための絞り駆動ユニット２３０と、交換レンズ２００に固有のレンズデータを格納するレンズメモリ２４１と、合焦動作したときのズーム位置を検出するズームエンコーダ２６０、等を備えている。
【００３２】
レンズメモリ２４１に格納されるレンズデータは、例えば、交換レンズ２００の焦点距離や開放Ｆ値、交換レンズ２００が焦点距離可変なズームレンズであるか否かに関する情報等を含む。レンズメモリ２４１は、レンズデータとして、さらにフォーカスエンコーダ２５０から出力されるフォーカス位置信号とその位置信号に対応する撮影距離とからなる撮影距離データテーブルを格納している。同様に、レンズメモリ２４１に格納されるレンズデータは、ズームエンコーダ２６０から出力されるズーム位置信号とその位置信号に対応する焦点距離位置に関する焦点距離データテーブルも格納している。これにより各エンコーダで得た位置信号から、そのときの撮影距離と焦点距離がわかる。
【００３３】
これらのレンズ駆動ユニット２２０、絞り駆動ユニット２３０、フォーカスエンコーダ２５０、及びズームエンコーダ２６０は、交換レンズ２００内にさらに備えたレンズＣＰＵ２４０に接続している。レンズＣＰＵ２４０は、接続しているレンズ駆動ユニット２２０、絞り駆動ユニット２３０、フォーカスエンコーダ２５０、及びズームエンコーダ２６０を適切に制御する。
【００３４】
また、レンズメモリ２４１はこのレンズＣＰＵ２４０の一部を構成している。レンズＣＰＵ２４０は、必要に応じてこのレンズメモリ２４１にアクセスし、必要な情報の取得及び書換えを行う。レンズＣＰＵ２４０は、通信接点１１０を介してカメラ本体３００と電気的に接続しており、レンズメモリ２４１内のレンズデータをカメラ本体３００に送信し、カメラ本体３００側からの各種命令の受信もする。
【００３５】
次に、図２のフローチャートを基に本願撮像装置１００に交換レンズ２００を装着した場合の実施例を説明する。
【実施例１】
【００３６】
ステップ＃１は、カメラ本体３００に交換レンズ２００を装着し、カメラ本体３００の電源が投入されると、カメラ本体３００と交換レンズ２００はレンズデータの通信を行う。
【００３７】
レンズデータの通信内容は、装着された交換レンズ２００のレンズ機種に関する情報となり、レンズデータの内容は、レンズＩＤや焦点距離が可変なズームレンズであるか否かに関する情報、魚眼レンズであるか否かに関する情報、魚眼レンズの場合の半径の情報、交換レンズ２００の焦点距離や絞り値などであり、レンズメモリ２４１からレンズＣＰＵ２４０を通じて、カメラＣＰＵ３５０へ送信される。
【００３８】
ステップ＃２は、カメラ本体３００は、交換レンズ２００から送られてきたレンズデータを基に装着された交換レンズ２００が全周魚眼レンズか否かを判定する。カメラ本体３００に装着された交換レンズ２００が全周魚眼レンズと判定された場合、ステップ＃３へ進む。全周魚眼レンズと判定されなかった場合、ステップ＃６へ進む。
【００３９】
尚、カメラ本体３００に装着された交換レンズ２００が、全周魚眼か否かの判定は、交換レンズ２００のレンズＣＰＵ２４１に記憶するレンズデータの中に全周魚眼か否かを示すフラグを含めることで判別してもいいし、全周魚眼レンズにのみレンズデータに半径の情報を持たせるようにしてもよい。
【００４０】
半径の情報について、説明する。半径の情報とは、測光や光源推定を行う際に、参照する画像信号の範囲である有効範囲を示し、基準サイズとなる３５ｍｍ版のイメージセンサにおけるイメージセンサの中心からの像高の割合で示される。具体的には、画像の中心を０、対角方向の最大の地点を１とする。像高から、撮像装置におけるケラレの発生しない有効範囲を演算する。尚、半径の情報は、基準サイズである３５ｍｍ版のイメージセンサにおける像高の値であるので、イメージセンサ３１０のサイズが３５ｍｍ版でない場合は、係数を乗算することで調整する。
【００４１】
有効範囲を演算する目的を説明する。有効範囲とは、ケラレの発生しない範囲であり、撮像素子から有効範囲の画像信号だけを測光や光源推定に使用することで、様々な半径の全周魚眼についてケラレが発生しようとも影響されない測光や光源推定の結果を得ることが出来る。
【００４２】
ステップ＃３は、ステップ＃１にてカメラ本体３００に装着された交換レンズ２００から取得したレンズデータの中から、カメラＣＰＵ３５０は半径の情報を取得する。ステップ＃４へ進む。
【００４３】
ステップ＃４は、ステップ＃３にて取得した半径の情報を用いて、カメラＣＰＵ３５０は有効範囲を算出する。有効範囲の算出については、後述する。ステップ＃５へ進む。
【００４４】
ステップ＃５は、ステップ＃４にて算出した範囲を測光と光源推定の対象に設定する。設定した有効範囲から画像信号を抜き出し、ステップ＃７へ進む。
【００４５】
ステップ＃６は、ステップ＃２にてカメラ本体３００に装着された交換レンズ２００が全周魚眼レンズと判定されなかったので、カメラＣＰＵ３５０は、イメージセンサ３１０のすべての領域を測光と光源推定の対象に設定する。設定した有効範囲から画像信号を抜き出し、ステップ＃７へ進む。
【００４６】
ステップ＃７は、ステップ＃５とステップ＃６にて、それぞれ設定されたイメージセンサ３１０の有効範囲から取得した画像信号に基づき、カメラＣＰＵ３５０は撮影状態判定を行う。本願実施例では、測光と光源判定を行う。
【００４７】
有効範囲の算出の仕方について、説明する。ステップ＃３にて取得したレンズデータから半径の情報を用いる。半径の情報は、前述のとおり３５ｍｍ版のイメージセンサにおける像高の割合を示すものであるから、カメラ本体３００のカメラＣＰＵ３５０は、半径の情報を取得すると、測光・光源推定領域の有効範囲を算出する。
【００４８】
尚、カメラＣＰＵ３５０は、カメラ本体３００のイメージセンサ３１０のサイズが３５ｍｍ版か否かの情報を有し、イメージセンサ３１０のサイズが３５ｍｍ版でない場合、３５ｍｍ版に対して辺の割合の情報を持つ必要がある。
【００４９】
また、本願明細の実施例では、カメラ本体３００にイメージセンサ３１０の画像信号を基に測距、測光などを行う所謂ミラーレスタイプの撮像装置を用いて説明した。しかし、カメラ本体３００は、一眼レフタイプの撮像装置でも問題ないことは言うまでもない。その場合、測距や測光は、それぞれ測距センサや測光センサが行う。
【００５０】
次に、有効範囲の算出方法について説明する。ステップ＃３にて取得した半径の情報を用いて、カメラＣＰＵ３５０は、３５ｍｍ版のイメージセンササイズについて有効範囲の有効像高をｒとし、画像サイズをＸ（ｐｉｘｅｌ）×Ｙ（ｐｉｘｅｌ）とした場合、有効範囲は画像の中心（Ｘ／２，Ｙ／２）から半径（（Ｘ＾２＋Ｙ＾２）＾（１／２））／２＊ｒとなる。また、カメラ本体３００のイメージセンサ３１０のサイズが３５ｍｍ版であれば、このままで問題ないが、画素数は同じであるがイメージセンサ３１０のサイズが異なっている場合、イメージセンサ３１０のサイズがＡＰＳ−Ｃであれば、ｒ×０．６を行い、イメージセンサ３１０のサイズがＡＰＳ−Ｈであればｒ×０．８を行う必要がある。係数については、後述する。
【００５１】
実際に、有効範囲の算出を行ってみる。有効範囲の有効像高ｒを０．４、画像サイズを４００（ｐｉｘｅｌ）×３００（ｐｉｘｅｌ）とした場合、有効半径の中心は、２００（ｐｉｘｅｌ），１５０（ｐｉｘｅｌ）となり、有効半径は１００（ｐｉｘｅｌ）となり、イメージセンサ３１０のサイズが３５ｍｍ版であればこのままで問題ないが、前述したように、画素数が同じであるがイメージセンサ３１０のサイズが異なっている場合、イメージセンサ３１０のサイズがＡＰＳ−Ｃであればｒ×０．６倍するので、有効半径は６０（ｐｉｘｅｌ）、ＡＰＳ−Ｈであればｒ×０．８倍するので、有効半径は８０（ｐｉｘｅｌ）となる。尚、有効半径の中心は、イメージセンサ３１０のサイズと関係ない。
【００５２】
また、前述の有効範囲の計算式に掛ける係数は、実際のイメージセンサ３１０のサイズによって変わる。係数の求め方は、３５ｍｍ版イメージセンサに対するイメージセンサ３１０の長辺又は短辺の割合である。一例として、ＡＰＳ−Ｈサイズのイメージセンサは、２８．８×１９．２（ｍｍ）であり、３５ｍｍ版イメージセンサは３６×２４（ｍｍ）であるので、長辺を用いて２８．８／３６＝０．８から係数は０．８となる。短辺でも同様に、１９．２／２４＝０．８と長辺と同様になる。
【００５３】
本願では、ステップ＃５にてカメラ本体３００のイメージセンサ３１０における測光・光源推定領域の有効範囲を設定している。以降、図３に記載の全周魚眼レンズのイメージサークルと測光と光源推定の対象の位置関係を示した図を用いて説明する。
【００５４】
図３のすべての領域をカメラ本体３００のイメージセンサ３１０の領域とすると、カメラ本体３００に装着する全周魚眼レンズを通過した光のイメージサークルは中心の円の内側の領域となる。
【００５５】
従って、カメラ本体３００に全周魚眼レンズを装着した場合、図３に示すように中心部分が撮像領域となり、周辺領域はケラレるために黒く写る。この黒く写った部分の情報を測光や光源推定に用いても被写体光を反映していないため、役立たない。具体的には、暗い場所で撮影し、暗い部分の信号を使用しているのと同様、露出オーバーになるという問題がある。そこで、本願発明では有効範囲を設定することで測光や光源推定の精度を保っている。
【実施例２】
【００５６】
次に、図４のフローチャートを基にレンズデータを記憶したカメラ本体３００に交換レンズ２００を装着した場合の実施例２を説明する。
【００５７】
実施例１は、交換レンズ２００がレンズデータを記憶しており、撮像装置に装着後に撮像装置が交換レンズからレンズデータを読み出していた。一方、実施例２は、撮像装置が複数のレンズデータを記憶しており、撮像装置に装着された撮像装置に応じて適切なレンズデータを選択する。
【００５８】
ステップ＃２１は、カメラ本体３００に交換レンズ２００を装着し、カメラ本体３００の電源が投入されると、カメラ本体３００と交換レンズ２００はデータの通信を行う。ステップ＃２２へ進む。
【００５９】
ステップ＃２２は、カメラ本体３００は、交換レンズ２００から送られてきたレンズＩＤを基に装着された交換レンズが全周魚眼レンズか否かを判定する。カメラ本体２００に装着された交換レンズ２００が全周魚眼レンズと判定された場合、ステップ＃２３へ進む。全周魚眼レンズと判定されなかった場合、ステップ＃２６へ進む。
【００６０】
尚、カメラ本体３００に装着された交換レンズ２００が、全周魚眼レンズか否かの判定は、カメラ本体３００のカメラＣＰＵ３５０に全周魚眼レンズのＩＤを記憶しておき、カメラ本体３００に装着された交換レンズ２００のレンズＩＤが含まれるか否かによって交換レンズ２００が全周魚眼レンズか否かを判定する。
【００６１】
ステップ＃２３は、カメラＣＰＵ３５０に記憶された全周魚眼レンズのレンズＩＤからカメラ本体３００に装着された交換レンズ２００に適した半径の情報を設定する。
【００６２】
データの通信内容は、交換レンズ２００からあらかじめカメラ本体３００に記憶している複数の半径の情報から交換レンズ２００に適した半径の情報を設定する。
【００６３】
ステップ＃２４は、ステップ＃２３にて設定した半径の情報を用いて、カメラＣＰＵ３５０は有効範囲を算出する。有効範囲の算出方法は、実施例１と同様なので省略する。ステップ＃２５へ進む。
【００６４】
ステップ＃２５は、ステップ＃２４にて算出した有効範囲を測光と光源推定の対象に設定する。設定した有効範囲から画像信号を抜き出し、ステップ＃２６へ進む。
【００６５】
ステップ＃２６は、ステップ＃２２にてカメラ本体３００に装着された交換レンズ２００が全周魚眼レンズと判定されなかったので、カメラＣＰＵ３５０は、イメージセンサ３１０のすべての領域を測光と光源推定の対象に設定する。設定した有効範囲から画像信号を抜き出し、ステップ＃２７へ進む。
【００６６】
ステップ＃２７は、ステップ＃２５とステップ＃２６にて、それぞれ設定されたイメージセンサ３１０の有効範囲から取得した画像信号に基づき、カメラＣＰＵ３５０は撮影状態判定を行う。本実施例では、測光と光源推定を行う。
【００６７】
本願発明は、半径の情報を基にイメージセンサ内のケラレていない範囲を求め、求めた範囲を画像信号の読み出し範囲とすることで最適な測光・光源推定を行うことが可能となります。
【符号の説明】
【００６８】
１００    撮像装置
２００    交換レンズ
２１０    結像光学系
２２０    レンズ駆動ユニット
２３０    絞り駆動ユニット
２４０    レンズＣＰＵ
２４１    レンズメモリ
２５０    フォーカスエンコーダ
２６０    ズームエンコーダ
３００    カメラ本体
３１０    イメージセンサ
３４０    シャッタ駆動ユニット
３５０    カメラＣＰＵ
【図１】
2018004663.tif 000003
【図２】
2018004663.tif 000004
【図３】
2018004663.tif 000005
【図４】
2018004663.tif 000006